(57)【特許請求の範囲】
【請求項１】
概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過するスクリュウプレス式濾過装置であって、
前記スクリュウを回転させる駆動手段と、
前記処理物が濾過体内に供給される圧力を検出する供給圧力検出手段と、
前記供給圧力検出手段の検出結果に基づき、前記駆動手段によって回転されるスクリュウの回転数を制御する制御手段と、
を有することを特徴とするスクリュウプレス式濾過装置。
【請求項２】
前記処理物が供給される圧力の基準値である圧力基準値を記憶する記憶手段と、
前記供給圧力検出手段の検出結果と前記記憶手段に記憶された圧力基準値とを比較する比較手段とを有し、
前記制御手段は、前記比較手段の比較結果に基づいて、前記供給圧力検出手段の検出結果が前記圧力基準値より大きい場合、前記スクリュウの回転数を増加させるように前記駆動手段を制御することを特徴とする請求項１に記載のスクリュウプレス式濾過装置。
【請求項３】
前記記憶手段に記憶される圧力基準値は、第１の圧力基準値と前記第１の圧力基準値より小さい値である第２の圧力基準値であり、
前記制御手段は、前記比較手段の比較結果に基づいて、前記供給圧力検出手段の検出結果が前記第１の圧力基準値より大きい場合、前記スクリュウの回転数を増加させ、前記供給圧力検出手段の検出結果が前記第２の圧力基準値より小さい場合、前記スクリュウの回転数を減少させるように前記駆動手段を制御することを特徴とする請求項２に記載のスクリュウプレス式濾過装置。
【請求項４】
概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過するスクリュウプレス式濾過装置であって、
前記スクリュウを回転させる駆動手段と、
前記処理物が濾過体内に供給される圧力を検出する供給圧力検出手段と、
前記スクリュウが回転するトルクを検出するトルク検出手段と、
前記供給圧力検出手段の検出結果と前記トルク検出手段の検出結果に基づいて、前記駆動手段によって回転されるスクリュウの回転数を制御する制御手段と、
を有することを特徴とするスクリュウプレス式濾過装置。
【請求項５】
前記処理物が供給される圧力の基準値である圧力基準値と前記スクリュウが回転するトルクの基準値であるトルク基準値とを記憶する記憶手段と、
前記供給圧力検出手段の検出結果と前記記憶手段に記憶された圧力基準値とを比較する第１の比較手段と、
前記トルク検出手段の検出結果と前記記憶手段に記憶されたトルク基準値とを比較する第２の比較手段とを有し、
前記制御手段は、前記第１の比較手段の比較結果に基づいて、前記供給圧力検出手段の検出結果が前記圧力基準値より大きい場合、前記スクリュウの回転数を増加させ、前記供給圧力検出手段の検出結果が前記圧力基準値より小さく、かつ、前記第２の比較手段の比較結果において、前記トルク検出手段の検出結果が前記トルク基準値より大きい場合、前記スクリュウの回転数を増加させる制御を行い、前記供給圧力検出手段の検出結果が前記圧力基準値より小さく、かつ、前記第２の比較手段の比較結果において、前記トルク検出手段の検出結果が前記トルク基準値より小さい場合、前記スクリュウの回転数を減少させる制御を行うことを特徴とする請求項４に記載のスクリュウプレス式濾過装置。
【請求項６】
前記記憶手段に記憶される圧力基準値は、第１の圧力基準値と前記第１の圧力基準値より小さい値である第２の圧力基準値であり、
前記制御手段は、前記第１の比較手段の比較結果に基づいて、前記供給圧力検出手段の検出結果が前記第１の圧力基準値より大きい場合、前記スクリュウの回転数を増加させる制御を行い、前記供給圧力検出手段の検出結果が前記第２の圧力基準値より小さい場合、前記スクリュウの回転数を減少させる制御を行い、前記供給圧力検出手段の検出結果が前記第１の圧力基準値と前記第２の圧力基準値との間の範囲である場合、前記第２の比較手段の比較結果に基づいて、前記トルク検出手段の検出結果が前記トルク基準値より大きい場合に、前記スクリュウの回転数を増加させる制御を行い、前記トルク検出手段の検出結果が前記トルク基準値より小さい場合に、前記スクリュウの回転数を減少させる制御を行うことを特徴とする請求項５に記載のスクリュウプレス式濾過装置。
【請求項７】
概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過するスクリュウプレス式濾過装置の制御方法であって、
前記処理物が濾過体内に供給される圧力を検出し、この検出結果に基づいて、スクリュウの回転数を増加または低下させるように制御することを特徴とするスクリュウプレス式濾過装置の制御方法。
【発明の詳細な説明】
【０００１】
【発明の属する技術分野】
この発明は、処理物を濾過するスクリュウプレス式濾過装置に係り、特に、排出されるケーキの含水率を一定にするスクリュウプレス式濾過装置に関するものである。
【０００２】
【従来の技術】
従来より、含水率が高い汚泥等の処理物を供給口から円筒形の濾過体に供給し、この円筒形の濾過体の内側に設けられたスクリュウによって、処理物を排出口に搬送しつつ、該濾過体によって処理物を濾過するスクリュウプレス式濾過装置が利用されている。この従来技術におけるスクリュウプレス式濾過装置は、スクリュウを一定の回転数で回転させ、濾過体内に供給された処理物を濾過し、排出口から濾過された処理物を排出していた。
【０００３】
【発明が解決しようとする課題】
しかしながら、上述した従来技術におけるスクリュウプレス式濾過装置は、スクリュウの回転数が一定であるために、処理物の供給量が増加した場合、排出口から排出される処理物の含水率が低下してしまっていた。また、処理物の供給量が減少した場合、含水率が増加してしまっていた。
このように、従来技術におけるスクリュウプレス式濾過装置では、処理物の供給量の供給量が変動に伴い、排出口から排出される処理物の含水率が変動してしまうという問題点があった。
【０００４】
さらに、排出口から排出される処理物を用いて製品を製造する場合、排出口から排出される処理物の含水率が変動してしまうことによって、製品にムラが発生してしまう問題点があった。また、排出口から排出される処理物を焼却する場合、
焼却能力を一定にするためには、処理物の含水率に応じて燃料の供給量を制御しなければならなかった。このように、排出口から排出される処理物の含水率の変動によって、後段の処理を複雑にしてしまうという問題点があった。
【０００５】
本発明はこのような事情に鑑みてなされたもので、その目的は、処理物の供給量が変動する場合においても、排出される処理物の含水率を一定にすることができるスクリュウプレス式濾過装置を提供することにある。
【０００６】
【課題を解決するための手段】
上記目的を達成するために、本発明は、概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過するスクリュウプレス式濾過装置であって、前記スクリュウを回転させる駆動手段と、前記処理物が濾過体内に供給される圧力を検出する供給圧力検出手段と、前記供給圧力検出手段の検出結果に基づき、前記駆動手段によって回転されるスクリュウの回転数を制御する制御手段とを有することを特徴とする。
【０００７】
また、本発明は、上述のスクリュウプレス式濾過装置において、前記処理物が供給される圧力の基準値である圧力基準値を記憶する記憶手段と、前記供給圧力検出手段の検出結果と前記記憶手段に記憶された圧力基準値とを比較する比較手段とを有し、前記制御手段は、前記比較手段の比較結果に基づいて、前記供給圧力検出手段の検出結果が前記圧力基準値より大きい場合、前記スクリュウの回転数を増加させるように前記駆動手段を制御することを特徴とする。
【０００８】
また、本発明は、前記記憶手段に記憶される圧力基準値は、第１の圧力基準値と前記第１の圧力基準値より小さい値である第２の圧力基準値であり、前記制御手段は、前記比較手段の比較結果に基づいて、前記供給圧力検出手段の検出結果が前記第１の圧力基準値より大きい場合、前記スクリュウの回転数を増加させ、前記供給圧力検出手段の検出結果が前記第２の圧力基準値より小さい場合、前記スクリュウの回転数を減少させるように前記駆動手段を制御することを特徴とする。
【０００９】
また、本発明は、概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過するスクリュウプレス式濾過装置であって、前記スクリュウを回転させる駆動手段と、前記処理物が濾過体内に供給される圧力を検出する供給圧力検出手段と、前記スクリュウが回転するトルクを検出するトルク検出手段と、前記供給圧力検出手段の検出結果と前記トルク検出手段の検出結果に基づいて、前記駆動手段によって回転されるスクリュウの回転数を制御する制御手段とを有することを特徴とする。
【００１０】
また、本発明は、上述のスクリュウプレス式濾過装置において、前記処理物が供給される圧力の基準値である圧力基準値と前記スクリュウが回転するトルクの基準値であるトルク基準値とを記憶する記憶手段と、前記供給圧力検出手段の検出結果と前記記憶手段に記憶された圧力基準値とを比較する第１の比較手段と、前記トルク検出手段の検出結果と前記記憶手段に記憶されたトルク基準値とを比較する第２の比較手段とを有し、前記制御手段は、前記第１の比較手段の比較結果に基づいて、前記供給圧力検出手段の検出結果が前記圧力基準値より大きい場合、前記スクリュウの回転数を増加させ、前記供給圧力検出手段の検出結果が前記圧力基準値より小さく、かつ、前記第２の比較手段の比較結果において、前記トルク検出手段の検出結果が前記トルク基準値より大きい場合、前記スクリュウの回転数を増加させる制御を行い、前記供給圧力検出手段の検出結果が前記圧力基準値より小さく、かつ、前記第２の比較手段の比較結果において、前記トルク検出手段の検出結果が前記トルク基準値より小さい場合、前記スクリュウの回転数を減少させる制御を行うことを特徴とする。
【００１１】
また、本発明は、上述のスクリュウプレス式濾過装置において、前記記憶手段に記憶される圧力基準値は、第１の圧力基準値と前記第１の圧力基準値より小さい値である第２の圧力基準値であり、前記制御手段は、前記第１の比較手段の比較結果に基づいて、前記供給圧力検出手段の検出結果が前記第１の圧力基準値より大きい場合、前記スクリュウの回転数を増加させる制御を行い、前記供給圧力検出手段の検出結果が前記第２の圧力基準値より小さい場合、前記スクリュウの回転数を減少させる制御を行い、前記供給圧力検出手段の検出結果が前記第１の圧力基準値と前記第２の圧力基準値との間の範囲である場合、前記第２の比較手段の比較結果に基づいて、前記トルク検出手段の検出結果が前記トルク基準値より大きい場合に、前記スクリュウの回転数を増加させる制御を行い、前記トルク検出手段の検出結果が前記トルク基準値より小さい場合に、前記スクリュウの回転数を減少させる制御を行うことを特徴とする。
【００１２】
また、本発明は、概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過するスクリュウプレス式濾過装置の制御方法であって、前記処理物が濾過体内に供給される圧力を検出し、この検出結果に基づいて、スクリュウの回転数を増加または低下させるように制御することを特徴とする。
【００１３】
【発明の実施の形態】
以下、本発明の一実施形態によるスクリュウプレス式濾過装置を図面を参照して説明する。図１は、この発明の一実施形態によるスクリュウプレス式濾過装置の構成を示す概略構成図である。
この図において、スクリュウ４は、軸線Ｏを中心としてスクリュウシャフト４Ａの外周にスクリュウ羽根４Ｂが螺旋状に形成され、軸受５、５に回転可能に支持されている。このスクリュウ４の他端側の軸受５に支持されたスクリュウシャフト４Ａの端部には、スクリュウ４を回転させる駆動部５０が連結される。
【００１４】
スクリュウ４は、駆動部５０がスクリュウシャフト４Ａに連結されることにより、軸線Ｏ周りに回転駆動され、その一端側から供給された処理物を他端側に搬送する。駆動部５０は、例えば、モータであり、制御装置８０から指示される回転数ｎになるようにスクリュウを回転させる。
【００１５】
スクリュウ４のスクリュウ羽根４Ｂのねじれ角および外径はともに一定とされる一方、スクリュウシャフト４Ａの外周は、スクリュウ羽根４Ｂが設けられた部分において、一端側から位置Ｒの範囲では一定の外径とされ、位置Ｒから濾過体１０の他端側に向かう方向に漸次拡径するようになされている。これにより、スクリュウシャフト４Ａの外周と軸線Ｏ方向に隣接するスクリュウ羽根４Ｂ同士との間の空間が、一端側よりも他端側の方が小さくなるようにされている。なお、このように、スクリュウシャフト４Ａの外径を他端側で大きくなるように変化させる代わりに、スクリュウシャフト４Ａの外径は一定としてスクリュウ羽根４Ｂのピッチを他端側に向かうにつれて小さくすることにより上記空間を小さくしてもよい。あるいは、これらを併せて、他端側でスクリュウシャフト４Ａの外径を大きくするとともにスクリュウ羽根４Ｂのピッチを小さくすることにより、上記空間を他端側で小さくするようにしてもよい。
【００１６】
濾過体１０は、概略円筒状をなしており、上述したスクリュウ４が、この濾過体１０の内周に挿入されている。これにより、処理物がスクリュウ４によって一端側から他端側に搬送される間に、この濾過体１０によって脱水されて濾過される。また、この濾過体１０の一端側には、処理物を供給する供給部１３が設けられる。
【００１７】
排出口９は、濾過体１０の他端側に設けられ、濾過された処理物をケーキとして排出する。圧力センサ６０は、処理物が供給部１３から濾過体内に供給される圧力を検出し、検出結果を供給圧実測値Ｐとして制御装置８０に出力する。トルクセンサ７０は、スクリュウ４が回転するトルクを検出し、検出結果をスクリュウトルク実測値Ｌとして制御装置８０に出力する。
【００１８】
制御装置８０は、比較部８１と制御部８２と記憶部８３とによって構成される。
記憶部８３は、処理物が供給される圧力の基準値となる圧力基準値Ｐ０とスクリュウが回転するトルクの基準値となるトルク基準値Ｌ０とを記憶する。この圧力基準値Ｐ０とトルク基準値Ｌ０は、所定の含水率となる場合の圧力の値とトルク値とが処理物の品種に応じて予め設定されている。
比較部８１は、圧力センサ６０から出力される供給圧実測値Ｐと記憶部８３に記憶された圧力基準値Ｐ０とを比較し、比較結果を制御部８２に出力する。また、比較部８１は、トルクセンサ７０から出力されるトルク実測値Ｌと記憶部８３に記憶されたトルク基準値Ｌ０とを比較し、比較結果を制御部８２に出力する。
【００１９】
制御部８２は、比較部８１の比較結果に基づいて、供給圧実測値Ｐが圧力基準値Ｐ０より大きい場合、スクリュウの回転数ｎを増加させるように駆動部５０を制御する。例えば、制御部８２は、スクリュウの回転数ｎを１（回転／分）から２（回転／分）に増加させる制御を行う。
また、制御部８２は、比較部８１の比較結果に基づいて、供給圧実測値Ｐが圧力基準値Ｐ０より小さい場合に、トルクセンサ７０から出力されるトルク実測値Ｌに応じた制御を行う。すなわち、比較部８１の比較結果に基づいて、トルクセンサ７０から出力されるトルク実測値Ｌがトルク基準値Ｌ０より大きい場合にスクリュウ４の回転数ｎを増加させ、トルクセンサ７０から出力されるトルク実測値Ｌがトルク基準値Ｌ０より小さい場合にスクリュウ４の回転数ｎを減少させるように駆動部５０を制御する。例えば、制御部８２は、スクリュウの回転数ｎを１．１（回転／分）から１．２（回転／分）に増加させる、あるいは、回転数ｎを１．２（回転／分）から１．１（回転／分）に減少させる制御を行う。
制御部８２は、このように、供給圧力に応じてスクリュウの回転数ｎを制御する場合、トルクに応じてスクリュウの回転数ｎを制御する場合に比べて、増減させる割合が大きい。
【００２０】
次に、図１に示す構成におけるスクリュウプレス式濾過装置の動作について、図２、図３を用いて説明する。図２は、図１の構成におけるスクリュウプレス式濾過装置の動作を説明するためのフローチャート、図３は、図１の構成における圧力センサ６０とトルクセンサ７０の検出結果を示すタイムチャートである。この図３に示す「トルク実測値Ｌとトルク基準値Ｌ０との比較結果」のうち、「＋」は、トルク実測値Ｌがトルク基準値Ｌ０より大きい場合、「０」は、トルク実測値Ｌがトルク基準値Ｌ０と等しい場合、「−」は、トルク実測値Ｌがトルク基準値Ｌ０より小さい場合を表している。
【００２１】
まず、駆動部５０の回転がスクリュウシャフト４Ａに伝達され、処理物が供給部１３から順次供給されると、処理物は、濾過体１０、スクリュウ羽根４Ｂ、およびスクリュウシャフト４Ａにより形成される空間に流入し、濾過体１０の一端側からスクリュウ４の回転によって他端側に搬送されつつ、上述した空間の容積縮小によって徐々に脱水され、濾過される。このとき、圧力センサ６０は、供給部１３から供給される処理物の圧力を検出し、検出結果を供給圧実測値Ｐとして制御装置８０の比較部８１に出力し（図２ステップＳ１）、トルクセンサ７０は、スクリュウ４が回転するトルクを検出し、検出結果をトルク実測値Ｌとして制御装置８０の比較部８１に出力する。
【００２２】
制御装置８０は、記憶部８３に記憶された圧力基準値Ｐ０と圧力センサ６０から出力された供給圧力実測値Ｐとを比較部８１によって比較する。比較結果において、供給圧力実測値Ｐが圧力基準値Ｐ０より小さい場合に（図２ステップＳ２、図３符号ａ）、制御装置８０は、トルクセンサ７０から出力されるトルク実測値Ｌを読み出し（図２ステップＳ３）、読み出したトルク実測値Ｌと記憶部８３に記憶されたトルク基準値Ｌ０とを比較部８１によって比較する（図２ステップＳ４）。比較結果において、トルク実測値Ｌとトルク基準値Ｌ０とが等しい場合（図２ステップＳ６、図３符号ａ）、スクリュウの回転数ｎを維持する指示を駆動部５０に出力する（図２ステップＳ６）。駆動部５０は、制御装置８０の制御部８２からの指示に基づいて、スクリュウの回転数ｎを維持する。
【００２３】
次に、制御装置８０は、圧力センサ６０から出力される供給圧実測値Ｐを読み出し、読み出した供給圧実測値Ｐと圧力実測値Ｐ０とを比較部８１によって比較する。供給圧実測値Ｐが圧力実測値Ｐ０より小さい場合（図２ステップＳ２、図３符号ｂ）、トルクセンサ７０から出力されるトルク実測値Ｌを読み出し（図２ステップＳ３）、読み出したトルク実測値Ｌと記憶部８３に記憶されたトルク基準値Ｌ０とを比較部８１によって比較する（図２ステップＳ４）。そして、制御装置８０は、トルク実測値Ｌがトルク基準値Ｌ０より小さい場合（図２ステップＳ６、図３符号ｂ）、スクリュウの回転数ｎを低減させる指示を駆動部５０に出力する（図２ステップＳ６）。駆動部５０は、制御装置８０の制御部８２からの指示に基づいて、スクリュウの回転数ｎを低減させる。
例えば、スクリュウ４の現在の回転数ｎが１．５（回転／分）である場合、回転数ｎを１．４（回転／分）に切り替える。
【００２４】
そして、スクリュウの回転数ｎが低減したことにより、供給部１３から濾過体１０に供給される処理物の量よりも供給部１３内に投入される処理物の量が多くなり、供給部１３内の処理物の蓄積量が増加し、供給圧力が増加して圧力基準値Ｐ０を越えた場合（図３符号ｃ）、制御装置８０の比較部８１は、圧力センサ６０から出力される供給圧実測値Ｐが圧力基準値Ｐ０より大きいことを検出する（図２ステップＳ２）。供給圧実測値Ｐが圧力基準値Ｐ０より大きい場合、制御装置８０の制御部８２は、スクリュウの回転数ｎを増加させる指示を駆動部５０に出力する（図２ステップＳ９）。駆動部５０は、制御部８２からの指示に応じてスクリュウの回転数ｎを増加させる。
例えば、スクリュウ４の現在の回転数ｎが１．４（回転／分）である場合、回転数ｎを２．４（回転／分）に切り替える。
【００２５】
次に、スクリュウの回転数ｎが増加したことにより、供給部１３内の処理物の蓄積量が減少し、供給圧力が圧力基準値Ｐ０より小さくなった場合（図３符号ｄ）、圧力センサ６０から出力される供給圧実測値Ｐ（図２ステップＳ１）と圧力基準値Ｐ０とが比較部８１によって比較されると、制御装置８０の制御部８２は、供給圧実測値Ｐが圧力基準値Ｐ０より小さいことを検出する（図２ステップＳ２）。供給圧実測値Ｐが圧力基準値Ｐ０より小さい場合、制御装置８０は、トルクセンサ７０から出力されるトルク実測値Ｌを読み出し（図２ステップＳ３）、読み出したトルク実測値Ｌとトルク基準値Ｌ０とを比較部８１によって比較する（図２ステップＳ４）。比較結果において、トルク実測値Ｌがトルク基準値Ｌ０より大きい場合（図２ステップＳ１０、図３符号ｄ）制御装置８０は、制御部８２によって駆動部５０にスクリュウの回転数ｎを増加させる指示を出力する（図２ステップＳ１１）。駆動部５０は、制御部８２からの指示に応じて、スクリュウの回転数ｎを増加させる。
例えば、スクリュウ４の現在の回転数ｎが２．４（回転／分）である場合、回転数ｎを２．５（回転／分）に切り替える。
以下、図３符号ｅ、符号ｆ、符号ｇ、…においても、上述した図２ステップＳ１からステップＳ１１の動作が繰り返され、スクリュウの回転数ｎの制御がなされる。
【００２６】
以上説明した実施形態においては、供給圧実測値Ｐが圧力基準値Ｐ０を越えた場合、すなわち、処理物の供給量が増加した場合、スクリュウ４の回転数ｎを増加させるようにしたので、処理物が濾過体１０内に滞留する時間を短くすることができ、濾過が促進される。
また、供給圧実測値Ｐが圧力基準値Ｐ０より小さく、かつ、トルク実測値Ｌがトルク基準値Ｌ０より大きい場合、スクリュウ４の回転数ｎを増加させるようにした。これにより、供給圧力が所定値を越えていない場合において、濾過体１０内の処理物の量が増加し、処理物にかかる圧力が増加する場合に、処理物が濾過体１０内に滞留する時間を短くすることができるので、濾過が促進され、排出物の含水率を一定にすることができる。
【００２７】
次に、第２の実施形態について説明する。この実施形態において、図１の記憶部８３は、圧力基準値Ｐ０として、供給圧力の上限値となる圧力基準値Ｐ１と供給圧力の下限値となる圧力基準値Ｐ２を記憶する。
比較部８１は、供給圧実測値Ｐと圧力基準値Ｐ１とを比較する。また、比較部８１は、供給圧実測値Ｐと圧力基準値Ｐ２とを比較する。さらに比較部８１は、供給圧実測値Ｐが圧力基準値Ｐ１と圧力基準値Ｐ２との間の範囲である場合、第１の実施形態と同様に、トルク実測値Ｌとトルク基準値Ｌ０とを比較する。
【００２８】
制御部８２は、比較部８１の比較手段の比較結果に基づいて、供給圧実測値Ｐが圧力基準値Ｐ１より大きい場合、スクリュウの回転数ｎを増加させる制御を行い、供給圧実測値Ｐが圧力基準値Ｐ２より小さい場合、スクリュウの回転数を減少させる制御を行う。
さらに、制御部８２は、供給圧実測値Ｐが圧力基準値Ｐ１と圧力基準値Ｐ２との間の範囲である場合、比較部８１の比較結果に基づいて、トルク実測値Ｌがトルク基準値Ｌ０より大きい場合に、スクリュウの回転数ｎを増加させる制御を行い、トルク実測値Ｌがトルク基準値Ｌ０より小さい場合に、スクリュウの回転数ｎを減少させる制御を行う。
【００２９】
次に、第２の実施形態におけるスクリュウプレス式濾過装置の動作について図４および図５を用いて説明する。図４は、第２の実施形態におけるスクリュウプレス式濾過装置の動作を説明するためのフローチャート、図５は、第２の実施形態における圧力センサ６０とトルクセンサ７０の検出結果を示すタイムチャートである。
【００３０】
第１の実施形態と同様に、スクリュウプレス式濾過装置の運転が開始されると、圧力センサ６０は、供給部１３から供給される処理物の圧力を検出し、検出結果を供給圧実測値Ｐとして制御装置８０の比較部８１に出力する（図４ステップＳ２１）。一方、トルクセンサ７０は、スクリュウ４が回転するトルクを検出し、検出結果をトルク実測値Ｌとして制御装置８０の比較部８１に出力する。
【００３１】
制御装置８０の比較部８１は、記憶部８３に記憶された圧力基準値Ｐ１と圧力センサ６０から出力された供給圧力実測値Ｐとを比較する（図４ステップＳ２２）。比較結果において、供給圧力実測値Ｐが圧力基準値Ｐ１より大きい場合（図５符号ｈ）、制御装置８０の制御部８２は、スクリュウの回転数ｎを増加させる指示を駆動部５０に出力する（図４ステップＳ２３）。
一方、供給圧力実測値Ｐが圧力基準値Ｐ１より小さい場合（例えば、図５符号ｉ）、さらに、比較部８２は、供給圧力実測値Ｐと圧力基準値Ｐ２とを比較する（図４ステップＳ２４）。比較結果において、供給圧力実測値Ｐが圧力基準値Ｐ２より小さい場合、制御装置８０の制御部８２は、スクリュウの回転数ｎを低減させる指示を駆動部５０に出力する（図２４ステップＳ２５）。
【００３２】
他方、供給圧力実測値Ｐが圧力基準値Ｐ１より小さく、かつ、圧力基準値Ｐ２より大きい場合、すなわち、供給圧力実測値Ｐが圧力基準値Ｐ１と圧力基準値Ｐ２との間の値である場合（例えば、図５符号ｊ、符号ｋ）、制御装置８０は、比較部８２によってトルク実測値Ｌとトルク基準値Ｌ０とを比較する。
以下、第１の実施形態において説明したステップＳ４からステップＳ８およびステップＳ１０からステップＳ１１と同様の制御を行う。
【００３３】
上記第２の実施形態によれば、供給圧実測値Ｐが圧力基準値Ｐ２より小さい場合、すなわち、処理物の供給量が減少した場合、スクリュウ４の回転数ｎを低下させるようにしたので、処理物が濾過体１０内に滞留する時間を長くすることができる。これにより、濾過体内における処理物の滞留時間が短くなって処理物の濾過が十分になされないまま排出口から排出され、含水率が増加してしまうことを防ぎ、含水率を一定にすることができる効果が得られる。
【００３４】
なお、上述の第１および第２の実施形態における圧力センサ６０に換えて、図６に示すようにレベルセンサ６１を適用するようにしてもよい。このレベルセンサ６１は、供給部１３内に蓄積されている処理物の高さｈを検出し、検出した高さｈに応じた処理物の供給圧実測値Ｐとして制御装置８０に出力する。この図３において、他の各部においては、図１の構成と同様であるので、その説明を省略する。
【００３５】
また、第１の実施形態（または第２の実施形態）における記憶部８３に、トルク基準値Ｌ０として、トルクの上限値となるトルク基準値Ｌ１とトルクの下限値となるトルク基準値Ｌ２を記憶させておく。そして、供給圧実測値Ｐが圧力基準値Ｐ０より小さい場合（または供給圧実測値Ｐが圧力基準値Ｐ１と圧力基準値Ｐ２の間である場合）、比較部８１によって、トルク基準値Ｌ１、トルク基準値Ｌ２とトルク実測値Ｌとを比較する。比較結果において、トルク実測値Ｌがトルク基準値Ｌ１より大きい場合にスクリュウ４の回転数ｎを増加させ、トルク実測値Ｌがトルク基準値Ｌ２より小さい場合にスクリュウ４の回転数ｎを低下させる。さらに、トルク実測値Ｌがトルク基準値Ｌ１とトルク実測値Ｌ２との間である場合に、スクリュウ４の回転数ｎを維持するようにしてもよい。これにより、処理物の含水率を精度よく、一定にすることができる。
また、供給圧実測値Ｐが圧力基準値（Ｐ０、Ｐ１、Ｐ２）と一致する場合や、トルク実測値Ｌがトルク基準値（Ｌ０、Ｌ１、Ｌ２）と一致する場合において、制御装置８０は、スクリュウの回転数ｎを維持するように制御するようにしてもよい。
【００３６】
また、第１の実施形態（または第２の実施形態）において、供給圧実測値Ｐまたはトルク実測値Ｌに応じて、スクリュウ４の回転数ｎを増加あるいは低下させる場合に、所定時間毎に比較部８１における比較動作を行い、回転数ｎを増加（あるいは低下）させるようにしてもよい。また、スクリュウ４の回転数ｎを増加（あるいは低下）させる場合、回転数ｎを徐々に増加（あるいは低下）させるようにしてもよく、また、目標の回転数ｎに一気に切り替えるようにしてもよい。
【００３７】
また、図１における制御装置８０の機能を実現するためのプログラムをコンピュータ読み取り可能な記録媒体に記録して、この記録媒体に記録されたプログラムをコンピュータシステムに読み込ませ、実行することによりスクリュウの回転数の制御を行ってもよい。なお、ここでいう「コンピュータシステム」とは、ＯＳや周辺機器等のハードウェアを含むものとする。
【００３８】
また、「コンピュータ読み取り可能な記録媒体」とは、フロッピーディスク、光磁気ディスク、ＲＯＭ、ＣＤ−ＲＯＭ等の可搬媒体、コンピュータシステムに内蔵されるハードディスク等の記憶装置のことをいう。
【００３９】
以上、この発明の実施形態を図面を参照して詳述してきたが、具体的な構成はこの実施形態に限られるものではなく、この発明の要旨を逸脱しない範囲の設計等も含まれる。
【００４０】
【発明の効果】
以上説明したように、この発明によれば、処理物が供給される圧力を検出し、検出した圧力に応じて、スクリュウの回転数を制御するようにしたので、処理物の供給量が変動する場合においても、濾過された処理物の含水率を一定にすることができ、さらに、スクリュウプレス式濾過装置の後段の処理が簡単になるという効果が得られる。
【００４１】
また、この発明によれば、処理物が供給される圧力を検出するとともに、スクリュウが回転するトルクを検出し、圧力の検出結果とトルクの検出結果に基づいて、スクリュウの回転数を制御するようにしたので、濾過された処理物の含水率を精度よく一定にすることが可能である。
【図面の簡単な説明】
【図１】この発明の一実施形態によるスクリュウプレス式濾過装置の概略構成図である。
【図２】図１の構成におけるスクリュウプレス式濾過装置の動作を説明するためのフローチャートである。
【図３】図１の構成における圧力センサ６０とトルクセンサ７０の検出結果を示すタイムチャートである。
【図４】第２の実施形態におけるスクリュウプレス式濾過装置の動作を説明するためのフローチャートである。
【図５】第２の実施形態における圧力センサ６０とトルクセンサ７０の検出結果を示すタイムチャートである。
【図６】第３の実施形態におけるレベルセンサ６１について説明するための概略ブロック図である。
【符号の説明】
４  スクリュウ                            ９  排出口
１０  濾過体                              １３  供給部
６０  圧力センサ                          ６１  レベルセンサ
７０  トルクセンサ                        ８０  制御装置
８１  比較部                              ８２  制御部
８３  記憶部
【図１】
0003542970.tif 000002
【図２】
0003542970.tif 000003
【図３】
0003542970.tif 000004
【図４】
0003542970.tif 000005
【図５】
0003542970.tif 000006
【図６】
0003542970.tif 000007